(57)【要約】【課題】ボトルの首部に簡単に着脱できて、ボトルをバランスよく保持することができる携帯用ボトルホルダーを提供する。【解決手段】弾性を有する開環状のホルダー本体（１）の先端に曲折部（２）、（３）を設け、開環状のホルダー本体（１）の左右両側の外周面に突出した支点（４）、（５）を設け、その支点（４）、（５）に取っ手部（６）を装着したことを特徴とする携帯用ボトルホルダー。【選択図】  図１
2006103727.tif 000002
【特許請求の範囲】
【請求項１】
ボトルの首部を抱持可能で、その首部に挿脱可能な幅の開口部を形成すると共に、先端に挿脱を誘導する曲折部を形成した開環状のホルダー本体を設け、開環状のホルダー本体の左右両側には支点を設け、その支点に取っ手部を装着してなる携帯用ボトルホルダー。
【請求項２】
開環状のホルダー本体の内側面に凸部を設けてなる請求項１の携帯用ボトルホルダー。
【発明の詳細な説明】
【技術分野】
【０００１】
本発明は、ペットボトルやボトル缶に簡単に装着でき、安定して保持できる携帯用ボトルホルダーに関するものである。
【背景技術】
【０００２】
従来の携帯用ボトルホルダーには、ペットボトルの首部の凹凸部を、吊り下げ用止め具にて両側から挟み込み、通し紐にてしぼり、凹部分にからめて吊り下げることにより、ペットボトルの自重で締め込み、腰ベルト引っ掛け用フック付き吊り輪と接続して使用するものがある（例えば、特許文献１参照。）。また、紐体のループ部の両側を、紐体に沿ってスライドさせるようにして拡縮自在に挿通係止する係止具でペットボトルの首部に係止固定するものがある（例えば、特許文献２参照。）。
【０００３】
以下、関連すると考えられる従来の携帯用ボトルホルダーについて記載する。
【特許文献１】特開平１１−  ９１７８６号公報
【特許文献２】特開２０００−    ６９７３号公報
【特許文献３】特開２０００−    ６９７４号公報
【特許文献４】特開２０００−  ６２７８２号公報
【発明の開示】
【発明が解決しようとする課題】
【０００４】
これには次のような欠点があった。
（イ）ペットボトルの首部にホルダーを装着するのに、取り付け方が面倒であったり、また、取り外すのも面倒であったりした。
（ロ）ホルダーの吊り下げ部が片側の一箇所のみで、左右均等に吊るすものでないために、ペットボトルホルダーを持ち歩いたり、フック等に掛けたりしたときに、ペットボトルが傾いてしまい、使い勝手が悪かった。
本発明は、これらの欠点を解決するためになされたものである。
【課題を解決するための手段】
【０００５】
ボトルの首部を抱持可能な開環の形状で、ボトルの首部に挿脱可能な幅の開口部を形成し、さらにボトルの首部の挿脱を誘導できるよう開環の先端には開口部の位置より外方にハの字形に曲折した形状の曲折部を形成した弾性を有する開環状のホルダー本体を設ける。そして、開環状のホルダー本体の外周面の左右両側に突出した係止ボタンとなる支点を設け、その支点に取っ手部の両端にある係合孔を嵌着する。
【発明の効果】
【０００６】
本発明は次のような効果を奏する。
ペットボトルの首部に開環状のホルダー本体のハの字形に曲折した曲折部をあてがい、ホルダー本体の背部を指で押すだけで、ペットボトルの首部が曲折部にそってホルダー本体の内側へと進むに従って、自然にホルダー本体の開口部をペットボトルの首部径幅まで押し広げ、そのまま開口部を通過してホルダー本体の内側へと誘導され、ペットボトルの首部がホルダー本体で抱持されることにより、ホルダーを取り付ける際のわずらわしさがなく、容易にホルダー本体をペットボトルの首部に取り付けることができる。
【０００７】
ホルダー本体をペットボトルの首部に装着した図２の状態のとき、ホルダー本体外周面の左右両側に突出した支点に取っ手部が嵌合してあるので、取っ手部を持った際や取っ手部をフック等にかけた際に、ペットボトルが傾くことなく、真っすぐに持ち上げることができたり、バランスよくかけておくことができたりする。また、ペットボトルの中味を飲むときには、図３のように、取っ手部を倒すことで、ホルダー本体や取っ手部が邪魔になることなく、飲むことができる。
【０００８】
ホルダー本体をペットボトルの首部から取り外すとき、ホルダー本体のハの字形に曲折した両曲折部に両親指をあてがい、ホルダー本体の背部方向に押すことにより、ホルダー本体の内側に収まっていたペットボトルの首部がホルダー本体の開口部をペットボトルの首部径幅まで押し広げ、そのまま開口部を通過することで、自然にペットボトルの首部がホルダー本体の外へと誘導されるので、ホルダー本体をペットボトルの首部から取り外す際のわずらわしさがなく、容易に取り外すことができる。
【発明を実施するための最良の形態】
【０００９】
以下、本発明の実施の形態について説明する。
ペットボトルの首部（１０）に抱持できるように、ペットボトルの首部（１０）径よりも内径が１ｍｍから２ｍｍ程度小さくなるように設定した、合成樹脂製の弾性を有する開環状のホルダー本体（１）を設ける。
【００１０】
開環状のホルダー本体（１）の開口部（７）をペットボトルの首部（１０）が挿脱できるように、ペットボトルの首部（１０）径に対して５割幅で設定する。例えば、２５ｍｍの首径のボトルに対しては１２ｍｍから１３ｍｍ幅の開口部とする。但し、上記の寸法設定は任意であり、合成樹脂製のホルダー本体の弾性力によっても変動するものである。
【００１１】
ホルダー本体（１）の両先端を開口部（７）の位置から、外方にハの字形に１０ｍｍから１５ｍｍの長さで曲折した曲折部（２）、（３）を設ける。
【００１２】
ホルダー本体（１）の外周面の左右両側に、ホルダー本体（１）と一体形成して突出した係止ボタンとなる支点（４）、（５）を突設する。
【００１３】
取っ手部（６）の両端に係合孔を設け、突出した係止ボタンとなる支点（４）、（５）に取っ手部（６）を嵌合する。
尚、この取っ手は合成樹脂製の取っ手を設定しているが、紐状の取っ手であっても可能である。
本発明は以上のような構成である。
【００１４】
（使用例１）本発明の使用例１として、請求項１について図１及び図２により説明すると、ホルダー本体（１）をペットボトルの首部（１０）に取り付けるときは、ホルダー本体（１）の開口部（７）から外方にハの字形に曲折した曲折部（２）、（３）をペットボトルの首部（１０）にあてがい、ホルダー本体の背部（８）を指で押すことで、ペットボトルの首部（１０）が曲折部（２）、（３）の形状により、自然にホルダー本体（１）の開口部（７）に誘導される。それにより、開口部（７）がペットボトルの首部（１０）径と同幅まで押し広げられ、ペットボトルの首部（１０）は開口部（７）を通過後、ペットボトルの首部（１０）径よりも内径が小さくなるように設定されたホルダー本体（１）の内側に収まることで、ホルダー本体（１）に抱持される。
【００１５】
ホルダー本体（１）の外周面に取り付けられている回動自在の取っ手部（６）を持ち、ペットボトル（９）を持ち上げるとき、ホルダー本体（１）がペットボトルの首部（１０）をしっかり抱持し、かつホルダー本体（１）の外周面から左右均等に取っ手部（６）が取り付けられていることで、ペットボトル（９）をバランスよく、安定して持ち歩くことができる。
更に、ペットボトル（９）には、ペットボトルの首部（１０）の上方、かつネジキャップ下方に、輪状のフランジ部（１１）があることにより、ペットボトルの首部（１０）がホルダー本体（１）に抱持され、取っ手部（６）を持ってペットボトル（９）を持ち上げるとき、フランジ部（１１）がホルダー本体（１）の上側で掛止する機能も果たすので、より安定した使用が可能である。
【００１６】
ペットボトル（９）の中味を飲むとき、図３で示すように、ホルダー本体（１）に取り付けられている取っ手部（６）を倒すことにより、ホルダー本体（１）や取っ手部（６）が邪魔になることがなく、飲むことができる。
【００１７】
ペットボトルの首部（１０）からホルダー本体（１）を取り外すとき、ホルダー本体（１）の両曲折部（２）、（３）に両親指をあてがい、ホルダー本体の背部（８）方向へと押すことにより、ペットボトルの首部（１０）がホルダー本体（１）の内側より、開口部（７）へと誘導され、開口部（７）がペットボトルの首部（１０）径と同幅まで押し広げられ、ペットボトルの首部（１０）は開口部（７）を通過後、自然とホルダー本体（１）の外側へとぬけることができる。
【００１８】
（使用例２）本発明の使用例２として、請求項２について図４により説明すると、ボトル缶の首部（１３）の形状は、ペットボトルの首部（１０）の形状と異なりフランジ部（１１）がないため、請求項１のホルダーに対し、ホルダー本体（１）の内周面に帯状または点状の凸部（１５）を設け、ボトル缶の首部（１３）にある帯環状の凹部（１４）がホルダー本体の内側にある凸部（１５）に掛合することにより、ボトル缶の首部（１３）をホルダー本体（１）で抱持する作用に加えて、ボトル缶（１２）を保持する作用を向上させることができる。
【００１９】
尚、請求項２におけるホルダー本体（１）の取り付けや取り外し等の使用方法は、請求項１と同様の手順で使用できる。
【図面の簡単な説明】
【００２０】
【図１】本発明の斜視図
【図２】本発明をペットボトルに装着したときの斜視図
【図３】本発明の使用状態を示す側面図
【図４】本発明をボトル缶に装着したときの断面図
【符号の説明】
【００２１】
１  開環状のホルダー本体
２  曲折部ａ
３  曲折部ｂ
４  支点ａ
５  支点ｂ
６  取っ手部
７  本体の開口部
８  本体の背部
９  ペットボトル
１０  ペットボトルの首部
１１  フランジ部
１２  ボトル缶
１３  ボトル缶の首部
１４  ボトル缶首部の凹部
１５  ホルダー本体の凸部
【図１】
2006103727.tif 000003
【図２】
2006103727.tif 000004
【図３】
2006103727.tif 000005
【図４】
2006103727.tif 000006